【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
第１の焦点距離を有する第１の領域と、前記第１の焦点距離とは異なる第２の焦点距離を有する第２の領域と、を有し、前記第１の領域の面積と前記第２の領域の面積とが異なる撮影レンズと、
２次元配列された受光素子を有する撮像素子と、
前記撮像素子の撮像信号から撮影画像を生成する画像生成部と、
を備え、
前記第１の領域と前記第２の領域との面積比が、
前記生成された撮影画像中で、前記第１の焦点距離で合焦し前記第２の焦点距離で非合焦となる第１の被写体の画像と、前記第２の焦点距離で合焦し前記第１の焦点距離で非合焦となる第２の被写体の画像とが、共に所望の画質となるように設定されている、
撮像装置。
【請求項２】
前記面積比は、
前記画像生成部が前記撮影画像を生成する際に、前記第１の領域を通過した光束の影響を除去する画像処理を行わなくても、前記撮影レンズの全領域が前記第２の領域であったとした場合の前記第２の被写体の画像の特性と、前記第２の領域が前記面積比である場合の前記第２の被写体の画像の特性との相違が許容範囲内となる、
ように定められている請求項１に記載の撮像装置。
【請求項３】
前記面積比は、
前記画像生成部が前記撮影画像を生成する際に、前記第１の領域を通過した光束の影響を除去する画像処理を行わなくても、前記撮影レンズの全領域が前記第２の焦点距離を有する領域であったとした場合の前記第２の被写体の画像の特性と、前記第２の領域が前記面積比である場合の前記第２の被写体の画像の特性とがほぼ同一となる、
ように定められている、請求項１または２に記載の撮像装置。
【請求項４】
前記面積比は、
前記画像生成部が前記撮影画像を生成する際に、前記第２の領域を通過した光束の影響を除去する画像処理を行わなくても、前記第１の被写体の画像の特性が許容範囲内となる、
ように定められている、請求項１から３のいずれかに記載の撮像装置。
【請求項５】
前記撮影画像を生成する際に前記第２の領域を通過した光束の影響を除去する画像処理を行うか否か、の選択を受け付ける選択手段をさらに備え、
前記選択手段が前記画像処理を行うとの選択を受け付けた時は、前記画像生成部は、前記撮影画像を生成する際に前記第２の領域を通過した光束の影響を除去する画像処理を行う、請求項１から４のいずれかに記載の撮像装置。
【請求項６】
前記撮影レンズは、光軸を中心として配置された平面形状が円形の領域と、前記円形の領域の外縁に配置された円環状の領域と、からなり、
前記円環状の領域が前記第１の領域であり、
前記円形の領域が前記第２の領域である、請求項１から５のいずれかに記載の撮像装置。
【請求項７】
前記面積比は、前記撮影レンズの全面積をＳ、前記第２の領域の面積をＳ２とした時に、０．７５＜(Ｓ２／Ｓ)≦０．８５である、請求項１から６のいずれかに記載の撮像装置。
【請求項８】
第１の波長の光を透過させる第１の領域と、前記第１の波長とは異なる第２の波長の光を透過させる第２の領域と、前記第１及び第２の波長とは異なる第３の波長の光を透過させる第３の領域と、を有し、前記第１の領域、前記第２の領域、前記第３の領域の面積がそれぞれ異なる撮影レンズと、
２次元配列された受光素子を有する撮像素子と、
前記撮像素子の撮像信号から撮影画像を生成する画像生成部と、
を備え、
前記第１の領域、前記第２の領域、前記第３の領域の面積比が、前記第１の領域、前記第２の領域、前記第３の領域を透過した光のすべてにより得られる撮像信号から生成した前記撮影画像が所望の画質となるよう定められている、撮像装置。
【請求項９】
前記撮影レンズは、光軸を中心として配置された平面形状が円形の領域と、前記円形の領域の外縁に配置された第１の円環状の領域と、前記第１の円環状の領域の外縁に配置された第２の円環状の領域と、からなり、
前記第１の円環状の領域が前記第１の領域であり、
前記第２の円環状の領域が前記第２の領域であり、
前記円形の領域が前記第３の領域である、請求項８に記載の撮像装置。
【請求項１０】
前記第１の領域、前記第２の領域、前記第３の領域の面積の関係は、
（前記第１の領域の面積）≦（前記第２の領域の面積）≦（前記第３の領域の面積）
である、請求項８または９に記載の撮像装置。
【請求項１１】
前記第１の波長の光は青色光であり、
前記第２の波長の光は赤色光であり、
前記第３の波長の光は緑色光である、請求項８から１０のいずれかに記載の撮像装置。
【手続補正２】
【補正対象書類名】明細書
【補正対象項目名】０００６
【補正方法】変更
【補正の内容】
【０００６】
前記目的を達成するために、本発明の第１の態様に係る撮像装置は、第１の焦点距離を有する第１の領域と、前記第１の焦点距離とは異なる第２の焦点距離を有する第２の領域と、を有し、前記第１の領域の面積と前記第２の領域の面積とが異なる撮影レンズと、２次元配列された受光素子を有する撮像素子と、前記撮像素子の撮像信号から撮影画像を生成する画像生成部と、を備え、前記第１の領域と前記第２の領域との面積比が、前記生成された撮影画像中で、前記第１の焦点距離で合焦し前記第２の焦点距離で非合焦となる第１の被写体の画像と、前記第２の焦点距離で合焦し前記第１の焦点距離で非合焦となる第２の被写体の画像とが、ともに所望の画質となるように設定されている、ことを特徴とする。
【手続補正３】
【補正対象書類名】明細書
【補正対象項目名】００１７
【補正方法】変更
【補正の内容】
【００１７】
前記目的を達成するために、本発明の第８の態様に係る撮像装置は、第１の波長の光を透過させる第１の領域と、前記第１の波長とは異なる第２の波長の光を透過させる第２の領域と、前記第１及び第２の波長とは異なる第３の波長の光を透過させる第３の領域と、を有し、前記第１の領域、前記第２の領域、前記第３の領域の面積がそれぞれ異なる撮影レンズと、２次元配列された受光素子を有する撮像素子と、前記撮像素子の撮像信号から撮影画像を生成する画像生成部と、を備え、前記第１の領域、前記第２の領域、前記第３の領域の面積比が、前記第１の領域、前記第２の領域、前記第３の領域を透過した光の全てにより得られる撮像信号から生成した前記撮影画像が所望の画質となるよう定められている。
【手続補正４】
【補正対象書類名】明細書
【補正対象項目名】００１９
【補正方法】変更
【補正の内容】
【００１９】
本発明の第１０の態様に示すように、第８または第９の態様に係る撮像装置において、前記第１の領域、前記第２の領域、前記第３の領域の面積の関係は、（前記第１の領域の面積）≦（前記第２の領域の面積）≦（前記第３の領域の面積）であってもよい。例えば、画質への寄与が高い周波数の領域を広くするようにしてもよい。また本発明の第１１の態様に示すように、第８から第１０の態様のいずれかに係る撮像装置において、前記第１の波長の光は青色光（Ｂ）であり、前記第２の波長の光は赤色光（Ｒ）であり、前記第３の波長の光は緑色光（Ｇ）であってもよい。
【手続補正５】
【補正対象書類名】明細書
【補正対象項目名】００２６
【補正方法】変更
【補正の内容】
【００２６】
再生ボタンは、撮影記録した静止画又は動画を液晶モニタ（ＬＣＤ）３０に表示させる再生モードに切り替えるためのボタンである。ＭＥＮＵ／ＯＫキーは、液晶モニタ３０の画面上にメニューを表示させる指令を行うためのメニューボタンとしての機能と、選択内容の確定及び実行などを指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上／下キーは撮影時のズームスイッチあるいは再生モード時の再生ズームスイッチとして機能し、左／右キーは再生モード時のコマ送り（順方向／逆方向送り）ボタンとして機能する。ＢＡＣＫキーは、選択項目など所望の対象の消去や指示内容の取消し、あるいは１つ前の操作状態に戻らせるときなどに使用される。
【手続補正６】
【補正対象書類名】明細書
【補正対象項目名】００３６
【補正方法】変更
【補正の内容】
【００３６】
操作部３８のシャッタボタンの第１段階の押下（半押し）があると、ＣＰＵ４０はＡＥ動作を開始させ、Ａ／Ｄ変換器２１から出力される画像データは、ＡＥ検出部４４に取り込まれる。
【手続補正７】
【補正対象書類名】明細書
【補正対象項目名】００５９
【補正方法】変更
【補正の内容】
【００５９】
撮影レンズが撮影レンズ１００のように透過波長域が異なる複数の領域を有する場合、受光素子に指向性がないと、Ｒ，Ｇ，Ｂ全ての光が入射する。そこで例えば、図１０に示すような、円環形状及び円形状の部材で構成された遮光マスクを、受光素子の受光面に撮影レンズ１００の領域構成に対応させて設けることで、１つの受光センサがＲ，Ｇ，Ｂのうち何れか一種類の光を受光することができるようになる。図１０の例では、図１０（ａ）、（ｂ）、（ｃ）がそれぞれＧ，Ｒ，Ｂに対応した遮光マスク２６６−１，２６６−２，２６６−３であり、これら遮光マスクが受光センサの受光面に配置されたときに、網掛け部分に入射した光を遮光し白抜き部分に入射した光を受光センサに受光させるようになっている。なお図１０で示した遮光マスクのマスク部の形状や寸法は概念的なものであり、各領域の比率に対応した形状や寸法になっているわけではない。
【手続補正８】
【補正対象書類名】図面
【補正対象項目名】図１
【補正方法】変更
【補正の内容】
【図１】
2013046303.tif 000001
【手続補正９】
【補正対象書類名】図面
【補正対象項目名】図５
【補正方法】変更
【補正の内容】
【図５】
2013046303.tif 000002